【手続補正書】
【提出日】令和2年9月25日(2020.9.25)
【手続補正１】
【補正対象書類名】特許請求の範囲
【補正対象項目名】全文
【補正方法】変更
【補正の内容】
【特許請求の範囲】
【請求項１】
ユーザー機器からの地図出力リクエストを受信した時、サーバーにより、出力がリクエストされ、各物品の特定の場所における物品位置、各物品シェルフ位置、及び各シェルフ通路位置により事前に生成されたナビゲーションマップを前記ユーザー機器に送信し、前記ナビゲーションマップが前記ユーザー機器により出力されるステップと、
探索したい物品の前記特定の場所における物品位置を取得するステップと、
前記ユーザー機器の前記特定の場所における機器位置を取得するステップと、
前記機器位置と探索したいそれぞれの物品の物品位置によって、ナビ路線情報を生成し、前記ユーザー機器が前記ナビゲーションマップにおいて前記ナビ路線情報によりナビ路線を出力するようにトリガーし、前記ナビ路線情報は、その場所で移動線路をユーザーに指示するステップと、
を含むことを特徴とする提示方法。
【請求項２】
前記探索したい物品の前記特定の場所における物品位置を取得した後、更に、
前記探索したい物品の物品位置により物品提示情報を生成し、前記ユーザー機器が前記ナビゲーションマップにおいて探索したいそれぞれの物品の表示位置で前記物品提示情報を出力するようにトリガーし、前記物品提示情報は、探索したいそれぞれの物品の物品位置をユーザーに提示するステップを含むことを特徴とする請求項１に記載の方法。
【請求項３】
前記機器位置と探索したいそれぞれの物品の物品位置によって、ナビ路線情報を生成し、前記ユーザー機器が前記ナビゲーションマップにおいて前記ナビ路線情報によりナビ路線を出力するようにトリガーすることは、
探索したいそれぞれの物品の物品位置、及び前記機器位置と探索したいそれぞれの物品の物品位置との距離の遠近によって、ナビ路線情報を生成し、
探索したいそれぞれの物品のシーケンス番号及び前記ナビ路線情報を含むナビ提示情報を生成し、前記ユーザー機器が前記ナビゲーションマップにおいて探索したいそれぞれの物品の表示位置で前記シーケンス番号を出力し、前記ナビゲーションマップにおいて前記ナビ路線情報を出力するようにトリガーする
ことを含むことを特徴とする請求項1に記載の方法。
【請求項４】
前記特定の場所の各物品シェルフには、無線機器が配置されており、
（１）ハンドヘルド機器が前記物品シェルフ中の各物品に対してコードスキャンを行った時に受信した前記無線機器により送信された無線信号、及び前記無線機器の位置により、前記ハンドヘルド機器が毎回コードスキャンを行った時のコードスキャン位置を測位し、前記ハンドヘルド機器が毎回コードスキャンを行った時のコードスキャン位置を前記ハンドヘルド機器によりコードスキャンされた物品の物品位置とするステップ、
（２）各物品の物品位置により、ナビゲーションマップを生成するステップ、
前記ナビゲーションマップは、前記（１）〜（２）のステップで事前に生成されることを特徴とする請求項１に記載の方法。
【請求項５】
前記物品シェルフ中の各物品が一つの無線機器に対応し、
前記物品シェルフ中の各物品に対してコードスキャンを行った時に受信した前記無線機器により送信された無線信号、及び前記無線機器の位置によって、前記ハンドヘルド機器が毎回コードスキャンを行った時のコードスキャン位置を測位することは、
前記ハンドヘルド機器が前記物品シェルフ中の各物品に対してコードスキャンを行った時に受信した前記無線機器により送信された無線信号によって、前記ハンドヘルド機器に最も近い無線機器を確定し、
前記最も近い無線機器の位置を測位して、前記ハンドヘルド機器がコードスキャンした時のコードスキャン位置とする
ことを含むことを特徴とする請求項４に記載の方法。
【請求項６】
前記特定の場所の各物品シェルフには、無線機器が配置されており、
（１）ハンドヘルド機器によりアップロードされた各物品の物品位置を受信するステップであり、前記物品位置は、前記ハンドヘルド機器が前記物品シェルフ中の各物品に対してコードスキャンを行い、毎回コードスキャンした時に受信した前記無線機器の無線信号及び前記無線機器の位置によって測位された毎回コードスキャンを行った時のコードスキャン位置であるステップ、
（２）各物品の物品位置により、ナビゲーションマップを生成するステップ、
前記ナビゲーションマップは、前記（１）〜（２）のステップにより事前に生成されることを特徴とする請求項１に記載の方法。
【請求項７】
前記特定の場所における各物品シェルフに前記無線機器が配置され、それぞれの無線機器が一つの物品及び一つのラベルに対応し、前記ラベルは、それに対応する物品の第２物品情報を表わし、
（１）ハンドヘルド機器が前記物品シェルフ中の各物品及び前記物品に対応するラベルに対してコードスキャンを行って得たコードスキャン情報により、異なるラベルと異なる無線機器との対応関係を検索し、それぞれのコードスキャンされた物品のラベルに対応する無線機器の位置を前記物品の物品位置とするステップ、
（２）各物品の物品位置により、ナビゲーションマップを生成するステップ、
前記ナビゲーションマップは、前記（１）〜（２）のステップで事前に生成されることを特徴とする請求項４に記載の方法。
【請求項８】
前記特定の場所における各物品シェルフには、前記無線機器が配置されており、それぞれの無線機器は、一つの物品に対応し、それぞれの無線機器には、機器情報コードが設けられており、
（１）前記物品シェルフ中の各物品に対してコードスキャンを行い、前記物品に対応する無線機器に対してコードスキャンを行い、コードスキャン情報を取得するステップ、
（２）前記コードスキャン情報中の機器情報コードにより、前記機器情報コードに対応する無線機器の位置をコードスキャンされた物品の物品位置とするステップ、
（３）各物品の物品位置により、ナビゲーションマップを生成するステップ、
前記ナビゲーションマップは、前記（１）〜（３）のステップで事前に生成されることを特徴とする請求項４に記載の方法。
【請求項９】
前記各物品の物品位置により、ナビゲーションマップを生成する前に、更に
ハンドヘルド機器がコードスキャンしていない時に受信した無線機器の無線信号、及び前記無線機器の位置により、前記ハンドヘルド機器がコードスキャンしていない時の未コードスキャン位置を測位し、シェルフ通路位置とするステップを含み、
前記各物品の物品位置により、ナビゲーションマップを生成するステップは、
それぞれの無線機器の位置により、各物品シェルフの物品シェルフ位置を確定し、
それぞれの物品シェルフ位置、各物品の物品位置及びそれぞれのシェルフ通路位置により、ナビゲーションマップを生成するステップを含む
ことを特徴とする請求項４〜８のいずれか１項に記載の方法。
【請求項１０】
前記それぞれの物品シェルフ位置、各物品の物品位置及びそれぞれのシェルフ通路位置により、ナビゲーションマップを生成するステップは、
各物品の物品位置及び各物品の物品種別により、物品種別配布サブグラフを生成し、
前記物品種別配布サブグラフ中の各物品種別に応じて、前記物品シェルフ位置及びシェルフ通路位置に基づいて、物品シェルフ及びシェルフ通路を描き、各物品種別に対応するシェルフ配布サブグラフを生成し、
前記シェルフ配布サブグラフ中の各物品シェルフに応じて、各物品の物品位置に基づいて、各物品シェルフに対応するシェルフ物品配布サブグラフを生成し、
前記物品種別配布サブグラフ、前記シェルフ配布サブグラフ及び前記シェルフ物品配布サブグラフの関係を構築して、ナビゲーションマップを生成する
ことを特徴とする請求項８に記載の方法。
【請求項１１】
前記ユーザー機器からの地図出力リクエストを受信した時、サーバーにより、出力がリクエストされ、各物品の特定の場所における物品位置により事前に生成されたナビゲーションマップを前記ユーザー機器に送信し、前記ナビゲーションマップが前記ユーザー機器により出力されるステップは、  ユーザー機器からの地図出力リクエストを受信した時、事前に生成したナビゲーションマップを前記ユーザー機器に送信し、前記ユーザー機器により前記物品種別配布サブグラフが出力されることを含み、
前記ユーザー機器の前記特定の場所における機器位置を取得した後、更に、
前記機器位置といずれかの物品種別との距離が第１プリセット距離より小さい場合、前記ユーザー機器が前記物品種別に対応するシェルフ配布サブグラフを出力するようにトリガーし、
前記機器位置といずれかの物品シェルフとの距離が第２プリセット距離より小さい場合、前記ユーザー機器が前記物品シェルフのシェルフ物品配布サブグラフを出力するようにトリガーすることを含む
ことを特徴とする請求項１０に記載の方法。
【請求項１２】
前記探索したい物品の前記特定の場所における物品位置を取得するステップは、
探索したい物品の物品識別情報を取得するステップと、
異なる物品を区分するための物品識別情報によって、前記ナビゲーションマップにおいて、前記探索したい物品の前記特定の場所における物品位置を検索するステップと、を含む
ことを特徴とする請求項１に記載の方法。
【請求項１３】
サーバーは、出力がリクエストされたナビゲーションマップを前記ユーザー機器に送信し、前記ユーザー機器により出力された後、前記ユーザー機器により送信された物品の出力リクエストを取得するステップであって、前記出力リクエストは、ユーザーによりトリガーされたものであるステップと、
前記出力リクエストにおいて出力がリクエストされた物品の第１物品情報を前記ユーザー機器に送信し、前記ユーザー機器により前記第１物品情報が出力されるステップであって、前記第１物品情報は、少なくとも物品識別情報を含むステップと、
前記ユーザー機器により送信された探索リクエストを受信した時、前記第１物品情報に対応する物品を探索したい物品とし、前記探索したい物品の物品識別情報を記録するステップであって、前記探索リクエストは、前記ユーザーによりトリガーされたものであるステップと、を含む
ことを特徴とする請求項１２に記載の方法。
【請求項１４】
前記探索したい物品の前記特定の場所における物品位置を取得するステップは、
サーバーが、前記ユーザー機器により受信された無線機器の無線信号、及び前記無線機器の位置により、前記ユーザー機器の機器位置を測位する、ことを含む
ことを特徴とする請求項１に記載の方法。
【請求項１５】
前記無線機器は、第１種機器及び第２種機器を備え、第１種機器の位置は、既知であり、
前記無線機器の位置は、以下の方式で事前に確定して取得でき、
サーバーは、前記第１種機器及び／又は位置が既定の第２種機器を既知機器として、前記既知機器の位置、及び前記既知機器が受信した、いずれか１個の位置が未定の第２種機器からの無線信号によって、前記いずれか１個の位置が未定の第２種機器の位置を測位する、
ことを特徴とする請求項１４に記載の方法。
【請求項１６】
前記無線機器の位置は、以下の方式で事前に確定して取得でき、
サーバーは、前記第２制御機器により受信された前記無線機器により送信された無線信号、及び前記第２制御機器の位置により、前記無線機器の位置を測位し、
前記第２制御機器は、予め定められた並べ替えによって室内天井に配置される、
ことを特徴とする請求項１５に記載の方法。
【請求項１７】
前記ユーザー機器が前記ナビゲーションマップにおいて前記ナビ路線情報によりナビ路線を出力するようにトリガーすることは、
サーバーが、ユーザー機器により送信された前記出力リクエストを取得するステップと、
前記出力リクエストにおける出力がリクエストされた物品の第１物品情報を前記ユーザー機器に送信し、ユーザー機器により出力するステップと、
ユーザー機器からの購入リクエストを受信した時、サーバーは前記第１物品情報に対応する物品を購入したい商品として、購入したい商品を購入リストに記録するステップと、を含み、
前記探索したい物品の前記特定の場所における物品位置を取得するステップは、
サーバーが、購入リストに記録された前記購入したい商品の物品位置を取得すること含む、
ことを特徴とする請求項１に記載の方法。
【請求項１８】
ユーザー機器からの地図出力リクエストを受信した時、サーバーにより、出力がリクエストされ、各物品の特定の場所における物品位置、各物品シェルフ位置、及び各シェルフ通路位置により事前に生成されたナビゲーションマップを前記ユーザー機器に送信し、前記ナビゲーションマップが前記ユーザー機器により出力されるステップは、
前記ユーザー機器からの地図出力リクエストに携帯された場所マークを受信し、
前記場所マークに対応するナビゲーションマップを検索し、前記ナビゲーションマップをユーザー機器に送信することを含む、
ことを特徴とする請求項１に記載の方法。
【請求項１９】
メモリ及びプロセッサを備え、
記記メモリには、１組または複数組のプログラム命令が格納され、
前記プロセッサは、前記メモリ中の前記１組または複数組のプログラム命令を呼び出して、
ユーザー機器から地図出力リクエストを受信した時、サーバーにより、出力をリクエストし、各物品の特定の場所における物品位置、各物品シェルフ位置、及び各シェルフ通路位置により事前に生成されたナビゲーションマップを前記ユーザー機器に送信し、前記ナビゲーションマップを前記ユーザー機器により出力するステップと、
探索したい物品の前記特定の場所における物品位置を取得するステップと、
前記ユーザー機器の前記特定の場所における機器位置を取得するステップと、
前記機器位置と探索したいそれぞれの物品の物品位置によって、ナビ路線情報を生成し、前記ユーザー機器が前記ナビゲーションマップにおいて前記ナビ路線情報によりナビ路線を出力するようにトリガーし、前記ナビ路線情報は、その場所で移動線路をユーザーに指示するステップと、を実行することを特徴とする提示装置。
【請求項２０】
前記探索したい物品の前記特定の場所における物品位置を取得するステップは、
探索したい物品の物品識別情報を取得するステップと、
異なる物品を区分するための前記物品識別情報によって、前記ナビゲーションマップにおいて、前記探索したい物品の前記特定の場所における物品位置を検索するステップと、を含む
ことを特徴とする請求項１９に記載の提示装置。
【請求項２１】
サーバーは、出力がリクエストされたナビゲーションマップを前記ユーザー機器に送信し、前記ユーザー機器により出力された後、前記ユーザー機器により送信された物品の出力リクエストを取得し、前記出力リクエストは、ユーザーによりトリガーされたものであるステップと、
前記出力リクエストにおいて出力がリクエストされた物品の第１物品情報を前記ユーザー機器に送信し、前記ユーザー機器により前記第１物品情報が出力されるステップであり、前記第１物品情報は、少なくとも物品識別情報を含むステップと、
前記ユーザー機器により送信された探索リクエストを受信した時、前記第１物品情報に対応する物品を探索したい物品とし、前記探索したい物品の物品識別情報を記録するステップであり、前記探索リクエストは、前記ユーザーによりトリガーされたものであるステップと、を含む
ことを特徴とする請求項２０に記載の提示装置。
【請求項２２】
前記探索したい物品の前記特定の場所における物品位置を取得するステップは、
サーバーが、前記ユーザー機器により受信された無線機器の無線信号、及び前記無線機器の位置により、前記ユーザー機器の機器位置を測位する、ことを含む
ことを特徴とする請求項１９に記載の提示装置。
【請求項２３】
前記無線機器は、第１種機器及び第２種機器を備え、第１種機器の位置が、既知であり、
前記無線機器の位置は、以下の方式で事前に確定して取得でき、
サーバーは、前記第１種機器及び／又は位置が既定の第２種機器を既知機器として、前記既知機器の位置、及び前記既知機器が受信した、いずれか１個の位置が未定の第２種機器からの無線信号によって、前記いずれか１個の位置が未定の第２種機器の位置を測位する、
ことを特徴とする請求項２２に記載の提示装置。
【請求項２４】
前記無線機器の位置は、以下の方式で事前に確定して取得でき、
サーバーは、前記第２種機器により受信された前記無線機器により送信された無線信号、及び前記第２制御機器の位置により、前記無線機器の位置を測位し、
前記第２制御機器は、予め定められた並べ替えによって室内天井に配置される、
ことを特徴とする請求項２３に記載の提示装置。
【請求項２５】
前記ユーザー機器が前記ナビゲーションマップにおいて前記ナビ路線情報によりナビ路線を出力するようにトリガーすることは、
サーバーが、ユーザー機器により送信された前記出力リクエストを取得するステップと、
前記出力リクエストにおける出力がリクエストされた物品の第１物品情報を前記ユーザー機器に送信し、ユーザー機器により出力するステップと、
ユーザー機器からの購入リクエストを受信した時、サーバーは前記第１物品情報に対応する物品を購入したい商品として、購入したい商品を購入リストに記録するステップと、を含み、
前記探索したい物品の前記特定の場所における物品位置を取得するステップは、
サーバーは、購入リストに記録された前記購入したい商品の物品位置を取得すること含む、
ことを特徴とする請求項１９に記載の提示装置。
【請求項２６】
ユーザー機器から地図出力リクエストを受信した時、サーバーにより、出力をリクエストし、各物品の特定の場所における物品位置、各物品シェルフ位置、及び各シェルフ通路位置により事前に生成されたナビゲーションマップを前記ユーザー機器に送信し、前記ナビゲーションマップを前記ユーザー機器により出力するステップは、
前記ユーザー機器からの地図出力リクエストに携帯された場所マークを受信し、
前記場所マークに対応するナビゲーションマップを検索し、前記ナビゲーションマップをユーザー機器に送信することを含む、
ことを特徴とする請求項１９に記載の提示装置。
【請求項２７】
前記探索したい物品の前記特定の場所における物品位置を取得した後、更に、
前記探索したい物品の物品位置により物品提示情報を生成し、前記ユーザー機器が前記ナビゲーションマップにおいて探索したいそれぞれの物品の表示位置で前記物品提示情報を出力するようにトリガーし、前記物品提示情報が、探索したいそれぞれの物品の物品位置をユーザーに提示するステップを含むことを特徴とする請求項１９に記載の提示装置。
【請求項２８】
前記機器位置と探索したいそれぞれの物品の物品位置によって、ナビ路線情報を生成し、前記ユーザー機器が前記ナビゲーションマップにおいて前記ナビ路線情報によりナビ路線を出力するようにトリガーすることは、
探索したいそれぞれの物品の物品位置、及び前記機器位置と探索したいそれぞれの物品の物品位置との距離の遠近によって、ナビ路線情報を生成し、
探索したいそれぞれの物品のシーケンス番号及び前記ナビ路線情報を含むナビ提示情報を生成し、前記ユーザー機器が前記ナビゲーションマップにおいて探索したいそれぞれの物品の表示位置で前記シーケンス番号を出力し、前記ナビゲーションマップにおいて前記ナビ路線情報を出力するようにトリガーする
ことを含むことを特徴とする請求項1９に記載の提示装置。